(57)【要約】【課題】  本発明は、ＡＣアダプタの接続端子の接点に酸化皮膜が生じて接触不良や接触抵抗の増加が発生した場合でも、ＡＣアダプタからの電流による一次電池への充電を防止することができ、電源切換動作を正常に行うことができる。【解決手段】  一次電池１７の＋極とＦＥＴ１のソースを接続し、ＦＥＴ１のドレインとＦＥＴ２のドレインを接続し、ＦＥＴ２のソースと負荷１９側の＋極を接続し、接続端子１５の＋極から逆流防止回路１８を介して負荷１９側の＋極に電流が流れるように接続し、接続端子１５の＋極とＦＥＴ１，ＦＥＴ２のゲートを共通に接続することで、一次電池１７のみの場合には一次電池１７から負荷に電力を供給する一方、接続端子１５にＡＣアダプタが接続された場合にはＡＣアダプタから負荷１９に電力を供給するように切換える。【選択図】      図１
2005253220.tif 000002
【特許請求の範囲】
【請求項１】
第１の直流電源に接続可能な接続端子と、第２の直流電源とを備え、第２の直流電源のみの場合には第２の直流電源から負荷に電力を供給する一方、接続端子に第１の直流電源が接続された場合には第１の直流電源から負荷に電力を供給するように切換える電源切換装置において、
第２の直流電源の＋極と第１電界効果トランジスタのソースを接続し、第１電界効果トランジスタのドレインと第２電界効果トランジスタのドレインを接続し、第２電界効果トランジスタのソースと負荷側の＋極を接続し、
前記接続端子の＋極から逆流防止回路を介して負荷側の＋極に電流が流れるように接続し、
前記接続端子の＋極と第１および第２電界効果トランジスタのゲートを共通に接続することを特徴とする電源切換回路。
【請求項２】
前記接続端子に第１の直流電源が接続された場合には、第１および第２電界効果トランジスタのドレイン−ソース間をそれぞれ非導通状態になるように動作することを特徴とする請求項１記載の電源切換回路。
【請求項３】
前記接続端子に第１の直流電源が接続されてない場合には、第１および第２電界効果トランジスタのドレイン−ソース間をそれぞれ導通状態になるように動作することを特徴とする請求項１記載の電源切換回路。
【請求項４】
前記第２電界効果トランジスタのソースと負荷側の＋極との間に第３電界効果トランジスタを設け、第２電界効果トランジスタのソースと第３電界効果トランジスタのドレインを接続し、第３電界効果トランジスタのソースと負荷側の＋極を接続し、
前記第１乃至第３電界効果トランジスタのゲートを共通に接続することを特徴とする請求項１記載の電源切換回路。
【請求項５】
前記接続端子に第１の直流電源が接続された場合に、第２又は第３電界効果トランジスタのいづれか一方のドレイン−ソース間が短絡したときには、第１直流電源から接続端子を介して逆流防止回路に接続し、第２又は第３電界効果トランジスタを介して第２の直流電源に電流を流すことを防止することを特徴とする請求項４項に記載の電源切換回路。
【請求項６】
前記逆流防止回路は、
前記接続端子にアノードを接続し前記負荷側の＋極にカソードを接続するようにしたダイオード、
前記接続端子にコレクタおよびベースを接続し前記負荷側の＋極にエミッタを接続するようにしたトランジスタ、
前記接続端子にドレインおよびゲートを接続し前記負荷側の＋極にソースを接続するようにした電界効果トランジスタ、
の何れか１つからなることを特徴とする請求項１又は５項に記載の電源切換回路。
【発明の詳細な説明】
【技術分野】
【０００１】
本発明は、接続端子にＡＣアダプタのような直流電源が接続された場合に内部に設けられた一次電池から負荷に電力を供給せず、ＡＣアダプタから負荷に電力を供給するように切換える電源切換装置に関する。
【背景技術】
【０００２】
このような従来の電源切換回路としては、ＡＣアダプタと一次電池を切換えて使用するものや、メモリバックアップなどに用いる電源を切換える必要が生じるものがある。例えば、乾電池とＡＣアダプタを電源として切換えて使用できる装置として、携帯型オーディオ機器、アンプ内蔵の小型スピーカなどがある。また、メモリバックアップなど２種類以上の電源を切換えて使用する装置として、ＵＰＳ、ノート型パーソナルコンピュータなどがある。
【０００３】
［従来技術１］
ここで、図５を参照して、従来の電源切換回路（従来技術１）について説明する。
【０００４】
図５に示す回路は、ＡＣアダプタが接続される接続端子を用いて上述したような切換え動作をさせている。詳しくは、一次電池１７は常時装着されているとし、ＡＣアダプタ１１のプラグ１３が接続端子１５に接続されない場合は、接続端子１５の２番端子と３番端子が接続状態（ショート）にあり、一次電池１７からの電力が負荷１９に供給される。
【０００５】
一方、ＡＣアダプタ１１のプラグ１３が接続端子１５に接続された場合には、接続端子１５の２番端子と３番端子が開放状態（オープン）になり、一次電池１７から負荷１９への電力の電源供給が停止状態になり、ＡＣアダプタ１１からの電力が負荷１９に供給される。
【０００６】
［従来技術２］
従来の電源切換回路（従来技術２）としては、特許文献１に記載された「電源切換え回路」が報告されている。
【０００７】
この回路は、ＡＣアダプターのＤＣプラグの挿入、非挿入によってＤＣプラグの負電極が接触する第２の接続端子と非接触、接触状態となる可動切片を有するソケットを設け、二次電池の正電極側に可動切片の接触、非接触状態に応じてオン，オフするＦＥＴスイッチを設けている。このため、外部の直流電源による駆動と電池による駆動とを切換える電源切換え回路において、サイズおよびコストを増大させることなく、限られた電池容量を効率よく活用して長時間電池駆動させるという利点を有している。
【０００８】
［従来技術３］
従来の電源切換回路（従来技術３）としては、特許文献２に記載された「直流電源切換回路」が報告されている。
【０００９】
この回路は、第１接続端子の一方の端子と第２の接続端子の一方の端子とを整流素子を介さずに接続するか否かを第１接続端子にＡＣアダプターのＤＣ出力プラグが接続されていないかされているかに応じて第１スイッチで機械的に切り換え、第１接続端子の他方の端子と第２接続端子の他方の端子とを接続するか否かを第１接続端子の他方の端子に電圧が供給されていないかされているかに応じて第２スイッチで電気的に切り換えている。このため、ＡＣアダプタの入力と電池入力を切り換える直流電源切換回路において、回路部品が故障した場合に、リチウム一次電池のような充電しても電池温度が上昇しない電池を用いても、十分な安全を確保することができるという利点を有している。
【特許文献１】特開２００１−１９００３４号公報
【特許文献２】特開２００２−２６２４７７号公報
【発明の開示】
【発明が解決しようとする課題】
【００１０】
しかしながら、図５に示す従来技術１では、ＡＣアダプタ１１のプラグ１３と接続端子１５との接続の有無に応じて、接続端子１５の２番端子と３番端子を機械的に接続（ショート）、開放（オープン）しているので、接続端子１５の２番端子と３番端子との接点に酸化皮膜などが発生した場合、接触不良や接触抵抗の増加が発生し易くなり、機械的な接続（ショート）、開放（オープン）の動作が不安定になるので、正常に動作できなくなり、その結果、一次電池１７を充電してしまい液漏れなどの故障や、一次電池１７から電力供給が不能となるなどの故障が発生するといった問題があった。
【００１１】
また、従来技術２では、ＡＣアダプタのＤＣプラグの抜き差しに応じて接続端子の接点を機械的に接続（ショート）、開放（オープン）しているので、接点に発生する酸化皮膜などにより接触不良や接触抵抗の増加が発生した場合、正常に動作しなくなってしまうといった問題があった。また、従来技術２に示す回路を用いて一次電池を使用した場合、ＦＥＴが一つであるためＦＥＴのソースとドレインがショートした場合には、一次電池を充電してしまい液漏れなどの故障や、一次電池１７から電力供給が不能となるなどの故障が発生するといった問題があった。
【００１２】
さらに、従来技術３では、ＡＣアダプタのＤＣプラグの抜き差しに応じて接続端子の接点を機械的に接続（ショート）、開放（オープン）しているので、接点に発生する酸化皮膜などにより接触不良や接触抵抗の増加が発生した場合、正常に動作しなくなってしまうといった問題があった。
【００１３】
本発明は、上記に鑑みてなされたもので、その目的としては、ＡＣアダプタの接続端子の接点に酸化皮膜が生じて接触不良や接触抵抗の増加が発生した場合でも、ＡＣアダプタからの電流による一次電池への充電を防止することができ、電源切換動作を正常に行うことができる電源切換回路を提供することにある。
【課題を解決するための手段】
【００１４】
請求項１記載の発明は、上記課題を解決するため、第１の直流電源に接続可能な接続端子と、第２の直流電源とを備え、第２の直流電源のみの場合には第２の直流電源から負荷に電力を供給する一方、接続端子に第１の直流電源が接続された場合には第１の直流電源から負荷に電力を供給するように切換える電源切換装置において、第２の直流電源の＋極と第１電界効果トランジスタのソースを接続し、第１電界効果トランジスタのドレインと第２電界効果トランジスタのドレインを接続し、第２電界効果トランジスタのソースと負荷側の＋極を接続し、前記接続端子の＋極から逆流防止回路を介して負荷側の＋極に電流が流れるように接続し、前記接続端子の＋極と第１および第２電界効果トランジスタのゲートを共通に接続することを要旨とする。
【００１５】
請求項２記載の本発明によれば、前記接続端子に第１の直流電源が接続された場合には、第１および第２電界効果トランジスタのドレイン−ソース間をそれぞれ非導通状態になるように動作することを要旨とする。
【００１６】
請求項３記載の本発明によれば、前記接続端子に第１の直流電源が接続されてない場合には、第１および第２電界効果トランジスタのドレイン−ソース間をそれぞれ導通状態になるように動作することを要旨とする。
【００１７】
請求項４記載の本発明によれば、前記第２電界効果トランジスタのソースと負荷側の＋極との間に第３電界効果トランジスタを設け、第２電界効果トランジスタのソースと第３電界効果トランジスタのドレインを接続し、第３電界効果トランジスタのソースと負荷側の＋極を接続し、前記第１乃至第３電界効果トランジスタのゲートを共通に接続することを要旨とする。
【００１８】
請求項５記載の本発明によれば、前記接続端子に第１の直流電源が接続された場合に、第２又は第３電界効果トランジスタのいづれか一方のドレイン−ソース間が短絡したときには、第１直流電源から接続端子を介して逆流防止回路に接続し、第２又は第３電界効果トランジスタを介して第２の直流電源に電流を流すことを防止することを要旨とする。
【００１９】
請求項６記載の本発明によれば、前記逆流防止回路は、前記接続端子にアノードを接続し前記負荷側の＋極にカソードを接続するようにしたダイオード、前記接続端子にコレクタおよびベースを接続し前記負荷側の＋極にエミッタを接続するようにしたトランジスタ、前記接続端子にドレインおよびゲートを接続し前記負荷側の＋極にソースを接続するようにした電界効果トランジスタ、の何れか１つからなることを要旨とする。
【発明の効果】
【００２０】
請求項１記載の本発明によれば、第２の直流電源の＋極と第１電界効果トランジスタのソースを接続し、第１電界効果トランジスタのドレインと第２電界効果トランジスタのドレインを接続し、第２電界効果トランジスタのソースと負荷側の＋極を接続し、接続端子の＋極から逆流防止回路を介して負荷側の＋極に電流が流れるように接続し、接続端子の＋極と第１および第２電界効果トランジスタのゲートを共通に接続することで、第２の直流電源のみの場合には第２の直流電源から負荷に電力を供給する一方、接続端子に第１の直流電源が接続された場合には第１の直流電源から負荷に電力を供給するように切換えることができ、接続端子の接点に酸化皮膜が生じて接触不良や接触抵抗の増加が発生した場合でも、第１の直流電源からの電流による一次電池への充電を防止することができ、電源切換動作を正常に行うことができる。
【００２１】
請求項２記載の本発明によれば、接続端子に第１の直流電源が接続された場合には、第１および第２電界効果トランジスタのドレイン−ソース間をそれぞれ非導通状態になるように動作することで、第１の直流電源からの電流による一次電池への充電を防止することができ、電源切換動作を正常に行うことができる。
【００２２】
請求項３記載の本発明によれば、接続端子に第１の直流電源が接続されてない場合には、第１および第２電界効果トランジスタのドレイン−ソース間をそれぞれ導通状態になるように動作することで、第２の直流電源のみの場合には第２の直流電源から負荷に電力を供給することができる。
【００２３】
請求項４記載の本発明によれば、第２電界効果トランジスタのソースと負荷側の＋極との間に第３電界効果トランジスタを設け、第２電界効果トランジスタのソースと第３電界効果トランジスタのドレインを接続し、第３電界効果トランジスタのソースと負荷側の＋極を接続し、第１乃至第３電界効果トランジスタのゲートを共通に接続することで、第２又は第３電界効果トランジスタが単一故障を起こした場合でも、第１の直流電源から一次電池への充電を防止することができる。
【００２４】
請求項５記載の本発明によれば、接続端子に第１の直流電源が接続された場合に、第２又は第３電界効果トランジスタのいづれか一方のドレイン−ソース間が短絡したときには、第１直流電源から接続端子を介して逆流防止回路に接続し、第２又は第３電界効果トランジスタを介して第２の直流電源に電流を流すことを防止することで、単一故障を起こした場合でも、第１の直流電源から一次電池への充電を防止することができる。
【００２５】
請求項６記載の本発明によれば、逆流防止回路は、接続端子にアノードを接続し負荷側の＋極にカソードを接続するようにしたダイオード、接続端子にコレクタおよびベースを接続し負荷側の＋極にエミッタを接続するようにしたトランジスタ、接続端子にドレインおよびゲートを接続し負荷側の＋極にソースを接続するようにした電界効果トランジスタ、の何れか１つからなることで、第２直流電源が第１乃至第３電界効果トランジスタの各ゲートに印加されるのを防止することができる。この結果、第１乃至第３電界効果トランジスタの全てのドレイン−ソース間が導通状態を保持することができる。
【発明を実施するための最良の形態】
【００２６】
以下、本発明を実施するための最良の形態を面を参照しながら詳細に説明する。
【００２７】
（実施例１）
図１は、本発明の実施例１に係る電源切換回路２１の構成を示す図である。まず、図１に示す電源切換回路２１の構成を説明する。
【００２８】
ＡＣアダプタ１１は、例えば１００Ｖや２２０Ｖの交流電源に接続し、交流電圧を直流電圧に変換してプラグ１３から外部へ供給するように構成されている。
【００２９】
接続端子１５は、ＡＣアダプタ１１のプラグ１３を接続するための端子である。接続端子１５の１番端子は＋極性になっており、ダイオードＤ４のアノード、抵抗Ｒ１、コンデンサＣ１、ＦＥＴ１，ＦＥＴ２のゲートに共通接続されている。接続端子１５の２番端子は未接続状態になっており、この点が従来技術１〜３とは構成的に相違している。接続端子１５の３番端子は−極性になっており、抵抗Ｒ１、コンデンサＣ１、一次電池１７の−極、負荷１９の−極に接続されている。
【００３０】
抵抗Ｒ１は、ＡＣアダプタ１１のプラグ１３が接続端子１５に接続されていないときにＦＥＴ１，ＦＥＴ２のゲート電位を一次電池１７の−極の０Ｖ電位（ＧＮＤ電位）に固定するために用いる抵抗である。コンデンサＣ１は、ＡＣアダプタ１１のプラグ１３が接続端子１５に挿入されるときに生じるノイズを低減するために用いるコンデンサである。
【００３１】
一次電池１７は、電圧Ｖcc2 を有するアルカリ電池やマンガン電池などの一次電池であり、その＋極がＦＥＴ１のソースに接続され、その−極が接続端子１５の３番端子、抵抗Ｒ１、コンデンサＣ１、負荷１９の−極に接続されている。
【００３２】
ダイオードＤ４は、逆流防止に用いるダイオードであり、逆流防止回路１８を構成しており、そのアノードが接続端子１５の１番端子、抵抗Ｒ１、コンデンサＣ１、ＦＥＴ１，ＦＥＴ２のゲートに共通接続されている。ダイオードＤ４のカソードは、ＦＥＴ２のソース、負荷１９の−極に接続されている。なお、図１に示すダイオードＤ４により構成される逆流防止回路１８は、一次電池１７の電圧Ｖcc2 がＦＥＴ１，ＦＥＴ２の各ゲートに印加されるのを防止するために設けられている。
【００３３】
ＦＥＴ１，ＦＥＴ２は、Ｐ−ＭＯＳＦＥＴ（Ｐチャンネル）からなる電界効果トランジスタであり、内部には逆流防止のためのダイオードＤ１，Ｄ２がそれぞれ設けられている。なお、図１においては、Ｄをドレイン、Ｓをソース、Ｇをゲートとして示している。
【００３４】
ＦＥＴ１，ＦＥＴ２の接続状態は、一次電池１７の＋極とＦＥＴ１のソースが接続されており、ＦＥＴ１のドレインとＦＥＴ２のドレインが接続されており、さらに、ＦＥＴ２のソースが負荷１９の＋極に接続され、ＦＥＴ１，ＦＥＴ２が全体として直列に接続されている。また、ＦＥＴ１，ＦＥＴ２のゲートは、接続端子１５の１番端子、ダイオードＤ４のアノード、抵抗Ｒ１、コンデンサＣ１に共通に接続されている。
【００３５】
次に、図１を参照して、電源切換回路２１の動作を説明する。なお、ＡＣアダプタ１１のプラグ１３が接続端子１５に接続されいるときの接続端子１５の１番端子の電圧をＶcc1 とし、一次電池１７の＋極の電圧をＶcc2 として説明する。また、一次電池１７の−極と接続端子１５の−極の電圧を０Ｖとして説明する。
【００３６】
［一次電池での動作］
一次電池１７から電源を供給する場合、一次電池１７からＦＥＴ１のソースにＶcc2 が印加される。ＡＣアダプタ１１のプラグ１３が接続端子１５に未接続であるため１番端子はオープン状態になっているので、ＦＥＴ１のゲートには抵抗Ｒ１を介して０Ｖが印加される。
【００３７】
ここで、ＰチャンネルのＦＥＴは、ゲート電圧＜ソース電圧の時にドレイン−ソース間が導通する特性であるため、ソースにＶcc2 、ゲートに０Ｖが印加された場合には、ＦＥＴ１のソースとドレインは導通状態になり、ＦＥＴ１のドレインとＦＥＴ２のドレインにＶcc2 が印加される。
【００３８】
次いで、ＦＥＴ２のドレインにＶcc2 が印加されると、ＦＥＴ２に内蔵されているダイオードＤ２を介して、ＦＥＴ２のソースにダイオードＤ２のＶF 分電圧降下した＋電圧が発生し、ＦＥＴ２のゲートより電圧が高くなる。このため、ＦＥＴ２のドレインとＦＥＴ２のソースが導通状態になり、ＦＥＴ２のソースから負荷１９の＋極にＶcc2 が印加される。
【００３９】
一方、ダイオードＤ４ではカソードからアノードへの逆流が防止されるので、ＦＥＴ２のソースに発生したＶcc2 がＦＥＴ１，２のゲートには印加されない。このため、ＦＥＴ１，ＦＥＴ２のゲート電圧は０Ｖのままであり、ゲート電圧＜ソース電圧が維持され、ＦＥＴ１，ＦＥＴ２が両方とも導通状態になり、一次電池１７の電圧Ｖcc2 が電源として負荷１９に供給される。
【００４０】
［ＡＣアダプタでの動作］
ＡＣアダプタにより電源を供給する場合、ＡＣアダプタ１１のプラグ１３が接続端子１５に接続されているため、接続端子１５の１番端子を介してダイオードＤ４のアノード、ＦＥＴ１，ＦＥＴ２のゲートにＶcc1 が印加される。
【００４１】
上述したように、ＰチャンネルＦＥＴは、ゲート電圧＜ソース電圧の時にドレイン−ソース間が導通する特性であり、ゲート電圧＞ソース電圧の時にドレイン−ソース間が非導通する特性である。ここで、ＡＣアダプタの出力電圧Ｖcc1 の方が、一次電池の出力電圧Ｖcc2 より大きいため、ＦＥＴ１，ＦＥＴ２は非導通状態になる。
【００４２】
一方、ＡＣアダプタ１１のプラグ１３が接続端子１５に接続されているため、接続端子１５の１番端子を介してダイオードＤ４のアノードにはＶcc1 が印加され、ダイオードＤ４のＶF 分だけ電圧降下した電圧（Ｖcc1 −ＶF ）が電源として負荷１９の＋極に供給される。
【００４３】
なお、通常、ＡＣアダプタ１１から供給される電圧はほぼ一定であるため、ダイオードＤ４により生じるＶF 分の電圧降下が発生しても問題とならない。しかし、ダイオードＤ４により生じる電圧ＶF 分の電圧降下を回避するには、ＦＥＴやトランジスタなどを用いて電圧降下が発生しないようにすればよい。
【００４４】
（実施例２）
図２は、本発明の実施例２に係る電源切換回路３１の構成を示す図である。まず、図２に示す電源切換回路３１の構成を説明する。
【００４５】
本実施例の特徴は、ＦＥＴ２のソースと負荷側の＋極との間にＦＥＴ３を設け、ＦＥＴ２のソースとＦＥＴ３のドレインを接続し、ＦＥＴ３のソースと負荷側の＋極を接続し、ＦＥＴ１〜ＦＥＴ３のゲートを共通に接続することにある。
【００４６】
次に、図２を参照して、電源切換回路３１の動作を説明する。
【００４７】
［一次電池での動作］
一次電池１７から電源を供給する場合、一次電池１７からＦＥＴ１のソースにＶcc2 が印加される。ソースにＶcc2 、ゲートに０Ｖが印加された場合には、ＦＥＴ１のソースとドレインは導通状態になり、ＦＥＴ１のドレインとＦＥＴ２のドレインにＶcc2 が印加される。
【００４８】
次いで、ＦＥＴ２のドレインにＶcc2 が印加されるとＦＥＴ２に内蔵されているダイオードＤ２を介して、ＦＥＴ２のソースにダイオードＤ２のＶF 分電圧降下した＋電圧が発生し、ＦＥＴ２のゲートより電圧が高くなるため、ＦＥＴ２のドレインとＦＥＴ２のソースが導通状態になり、ＦＥＴ３のドレインにＶcc2 が印加される。
【００４９】
次いで、ＦＥＴ３もＦＥＴ２と同様の動作をするので、ＦＥＴ２と同様に導通状態になる。
【００５０】
ダイオードＤ４ではカソードからアノードへの逆流が防止されるので、ＦＥＴ３のソースに発生したＶcc2 がＦＥＴ１，２，３のゲートには印加されない。このため、ＦＥＴ１〜ＦＥＴ３のゲート電圧は０Ｖのままであり、ゲート電圧＜ソース電圧が維持され、ＦＥＴ１〜ＦＥＴ３が全て導通状態になり、一次電池１７の電圧Ｖcc2 が電源として負荷１９に供給される。
【００５１】
［ＡＣアダプタでの動作］
ＡＣアダプタにより電源を供給する場合、ＡＣアダプタ１１のプラグ１３が接続端子１５に接続されているため、接続端子１５の１番端子を介してダイオードＤ４のアノード、ＦＥＴ１〜ＦＥＴ３のゲートにＶcc1 が印加される。この結果、ＦＥＴ１〜ＦＥＴ３は非導通状態になる。
【００５２】
一方、ＡＣアダプタ１１のプラグ１３が接続端子１５に接続されているため、接続端子１５の１番端子を介してダイオードＤ４のアノードにはＶcc1 が印加され、ダイオードＤ４のＶF 分だけ電圧降下した電圧（Ｖcc1 −ＶF ）が電源として負荷１９の＋極に供給される。
【００５３】
［単一故障について］
ＦＥＴ２，ＦＥＴ３はまったく同様の動作をするため、図１に示す実施例１のように、ＦＥＴ３が無い場合でも問題なく動作する。
【００５４】
しかしながら、仮にＦＥＴ３が無い回路で、ＦＥＴ２のドレインとソースがショートした場合、ＦＥＴ１のドレインにＡＣアダプタ１１から供給されたＶcc1 が印加される。さらに、ＦＥＴ１には内蔵されたダイオードＤ１があるため、内蔵ダイオードＤ１を介して一次電池１７にＡＣアダプタ１１から供給されたＶcc1 が印加され充電してしまう恐れがある。
【００５５】
そこで、図２に示すように、ＦＥＴ３があることで、ＦＥＴ２またはＦＥＴ３のいずれかのドレインとソースがショートした場合でも、ＦＥＴに内蔵されたダイオードにより、ＡＣアダプタ１１から供給されるＶcc1 がＦＥＴ１のドレインに印加されることを防ぐことができる。この結果、一次電池１７が充電されることを防止することができる。図１に示す電源切換回路２１は、このような単一故障モードにも対応している。
【００５６】
以上のように、実施例１および実施例２によれば、直流電源となるＡＣアダプタと一次電池との電源切換にＦＥＴを用いているため、従来技術のように接続端子１５の接点に生じる酸化皮膜などによる接触不良で発生していた一次電池への充電を防止することができる。
【００５７】
また、実施例２によれば、ＦＥＴを３つ直列に接続しているので、ＦＥＴが単一故障を起こした場合でも、ＡＣアダプタから一次電池への充電を防止することができる。
【００５８】
さらに、実施例２によれば、ＦＥＴ１〜ＦＥＴ３には電界効果トランジスタを使用しているので、非常に小さい電圧降下で切換えが可能となる。
【００５９】
（変形例１）
図３は、図１及び図２に示す電源切換回路２１，３１に設けられた逆流防止回路１８の変形例１を示す図である。
【００６０】
トランジスタＴｒ１は、逆流防止に用いるトランジスタであり、逆流防止回路１８を構成しており、そのコレクタとベースが接続端子１５の１番端子、抵抗Ｒ１、コンデンサＣ１、ＦＥＴ１，ＦＥＴ２，ＦＥＴ３のゲートに共通接続されている。また、トランジスタＴｒ１のエミッタは、ＦＥＴ２またはＦＥＴ３のソース、負荷１９の＋極に接続されている。
【００６１】
［一次電池での動作］
一次電池１７から負荷１９に電源を供給する場合、トランジスタＴｒ１により構成される逆流防止回路１８により、負荷１９の＋極からＦＥＴ１，ＦＥＴ２，ＦＥＴ３の各ゲートに一次電池１７の電圧Ｖcc2 が印加されるのを防止することができる。
【００６２】
［ＡＣアダプタでの動作］
ＡＣアダプタ１１のプラグ１３が接続端子１５に接続されている場合、接続端子１５の１番端子を介してトランジスタＴｒ１のベースにＶcc1 が印加され、トランジスタＴｒ１がオン状態になりコレクタ−エミッタ間が導通状態になり、Ｖcc1 が電源として負荷１９の＋極に供給される。
【００６３】
（変形例２）
図４は、図１及び図２に示す電源切換回路２１，３１に設けられた逆流防止回路１８の変形例２を示す図である。
【００６４】
ＦＥＴ５は、逆流防止に用いるＮ−ＭＯＳＦＥＴ（Ｎチャンネル）からなる電界効果トランジスタであり、逆流防止回路１８を構成しており、そのドレインとゲートが接続端子１５の１番端子、抵抗Ｒ１、コンデンサＣ１、ＦＥＴ１，ＦＥＴ２，ＦＥＴ３のゲート、抵抗Ｒ３に共通接続されている。この抵抗Ｒ３の他端は、接続端子１５の３番端子、負荷１９の−極に接続されている。ＦＥＴ５のソースは、ＦＥＴ２またはＦＥＴ３のソース、負荷１９の＋極に接続されている。
【００６５】
［一次電池での動作］
一次電池１７から負荷１９に電源を供給する場合、ＦＥＴ５により構成される逆流防止回路１８により、負荷１９の＋極からＦＥＴ１，ＦＥＴ２，ＦＥＴ３の各ゲートに一次電池１７の電圧Ｖcc2 が印加されるのを防止することができる。
【００６６】
［ＡＣアダプタでの動作］
ＡＣアダプタ１１のプラグ１３が接続端子１５に接続されている場合、接続端子１５の１番端子を介してＦＥＴ５のゲートにＶcc1 が印加されるので、ＦＥＴ５がオン状態になりドレイン−ソース間が導通状態になり、Ｖcc1 が電源として負荷１９の＋極に供給される。
【図面の簡単な説明】
【００６７】
【図１】本発明の実施例１に係る電源切換回路２１の構成を示す図である。
【図２】本発明の実施例２に係る電源切換回路３１の構成を示す図である。
【図３】逆流防止回路１８の変形例１を示す図である。
【図４】逆流防止回路１８の変形例２を示す図である。
【図５】従来の電源切換回路１００の構成を示す図である。
【符号の説明】
【００６８】
１１  ＡＣアダプタ
１３  プラグ
１５  接続端子
１７  一次電池
１８  逆流防止回路
１９  負荷
２１，３１  電源切換回路
Ｃ１  コンデンサ
Ｄ１，Ｄ２，Ｄ３，Ｄ４，Ｄ５  ダイオード
ＦＥＴ１，ＦＥＴ２，ＦＥＴ３、ＦＥＴ５  電界効果トランジスタ
Ｒ１，Ｒ３  抵抗
Ｔｒ１  トランジスタ
【図１】
2005253220.tif 000003
【図２】
2005253220.tif 000004
【図３】
2005253220.tif 000005
【図４】
2005253220.tif 000006
【図５】
2005253220.tif 000007